(57)【特許請求の範囲】
【請求項１】
開口を有する上部と、
当該上部から連続する胴部と、
当該胴部の下端部を塞ぐ底部と、
を備え、内部空間を有する樹脂製容器であって、
前記胴部は、対向する一対の第１パネルと、隣接する前記一対の第１パネル同士を連結し少なくとも一部に曲面状の領域を有する一対の対向する連結部と、によって前記上部と底部との間の軸周りに筒状に形成されており、
前記各連結部には、前記上部側から底部側に向かって延びる少なくとも一つの凹状のリブが形成されており、
前記各第１パネルは、前記連結部のリブの間に配置されて平坦状に延びるパネル面を有しており、
前記各連結部は、少なくとも周方向の断面が直線状の領域を有するとともに、前記上部から前記底部の方向の中央部が外方に突出するように湾曲する第２パネルと、当該第２パネルの周方向の両側に配置され曲面状に形成された一対の連結片と、を備え、前記第１パネルと前記第２パネルとが前記各連結片によって連結されており、
前記各連結片には、前記第１パネル側へ周方向に凹をなすとともに、前記第２パネルに沿うように湾曲する少なくとも１つの前記リブが形成されている、樹脂製容器。
【請求項２】
前記胴部は、対向配置される一対の前記第１パネルと、当該第１パネルと直交するように対向配置される一対の前記第２パネルと、前記第１パネル及び第２パネルの間に配置される４つの前記連結片と、で形成されている、請求項１に記載の樹脂製容器。
【請求項３】
前記リブの一つは、前記パネル面に沿って延びている、請求項１または２に記載の樹脂製容器。
【請求項４】
前記リブが複数形成されている、請求項１から３のいずれかに記載の樹脂製容器。
【請求項５】
前記胴部の軸方向の長さが、当該軸方向と直交する幅方向の長さの２倍よりも小さい、請求項１から４のいずれかに記載の樹脂製容器。
【発明の詳細な説明】
【技術分野】
【０００１】
本発明は、樹脂製容器に関する。
【背景技術】
【０００２】
従来より、特許文献１に記載のような飲料を収容した樹脂製容器が提案されている。また、飲料以外にも、芳香剤、化粧品などを収容した種々の樹脂製容器が提案されている。このような樹脂製容器の表面には、商品名、商品説明などが記載された外装フィルムが取り付けられることが多い。
【先行技術文献】
【特許文献】
【０００３】
【特許文献１】実用新案登録第３０５０５８７号公報
【発明の開示】
【発明が解決しようとする課題】
【０００４】
ところで、上記のような樹脂製容器は、近年、コストダウンや環境への配慮のために樹脂の薄肉化が求められている。しかし、薄肉化に伴って、容器の機械的強度が低下し、容器内部に陰圧が生じた場合には、容器が凹み座屈するおそれがある。さらに、容器の凹みに追随して外装フィルムも凹んだり歪んだりするおそれがあり、容器全体としてのデザインが大きく損なわれるという問題があった。そこで、本発明は、上記問題を解決するためになされたものであり、容器の内部に陰圧が生じても、容器が凹み座屈するおそれがなく、外装フィルムが凹んだり歪んだりすることなく、デザイン性を維持することが可能な樹脂製容器を提供することを目的とする。
【課題を解決するための手段】
【０００５】
本発明は、開口を有する上部と、当該上部から連続する胴部と、当該胴部の下端部を塞ぐ底部と、を備え、内部空間を有する樹脂製容器であって、前記胴部は、複数の第１パネルと、隣接する当該第１パネル同士を連結し少なくとも一部に曲面状の領域を有する複数の連結部と、で前記上部と底部との間の軸周りに筒状に形成されており、前記各連結部には、前記上部側から底部側に向かって延びる少なくとも一つの凹状のリブが形成されており、前記各第１パネルは、前記連結部のリブの間に配置されて平坦状に延びるパネル面を有している。
【０００６】
この構成によれば、隣接する第１パネル同士を連結する連結部が少なくとも一部に曲面状の領域を有し、且つこの連結部にリブが形成されているため、これによって容器の機械的強度が増し、容器の内部空間に陰圧が生じた場合でも連結部が凹むのが防止される。その一方で、第１パネルは平坦状のパネル面が設けられているため、容器内部の陰圧によって凹みやすくなる。これにより、胴部に外装フィルムを巻き付けた際に、次のような効果を得ることができる。上記のように、容器内部に陰圧が生じると、第１パネルは、内部空間へ凹んだ状態になる。しかしながら、その両側にある連結部はリブによって変形し難いため、胴部に巻き付けた外装フィルムに変形が生じるのを防止することができる。すなわち、上記陰圧が生じていない場合、外装フィルムは、パネル面を覆うように巻き付けられ、パネル面の形状に沿った外観形状を呈している。その一方で、容器内部に陰圧が生じても、外装フィルムは、両連結部の間で周方向にテンションが作用した状態で巻き付けられているため、その間のパネル面が凹んだとしても、外装フィルムは依然として両連結部の間でテンションが作用したままとなる。よって、外装フィルムが、パネル面の凹みに追従して変形するのを防止することができ、その結果、デザイン性が損なわれるのを防止することができる。
【０００７】
第１パネルは、種々の組み合わせで用いることができる。例えば、一対の第１パネルを対向配置し、これらを連結部で接続してもよいし、３以上の第１パネルを多角形状に配置し、これらを連結部で接続することもできる。
【０００８】
なお、本発明における「平坦状」とは、周方向及び上下方向に平坦であることを意味するが、必ずしも厳密な平坦ではなく、若干の凹み又は膨らみを許容するものである。すなわち、パネル面が凹んだときに、外装フィルムが変形するような影響を及ぼさない範囲であれば、連結部の間で若干の凹みや膨らみをも含むものである。また、連結部の「曲面状」とは、連結部においてリブを除く面が曲面のみで形成されているものであるほか、曲面と平面を組み合わせた擬似的な曲面形状、あるいは複数の平面が連結されることで擬似的な曲面が形成されたものも意味する。また、外装フィルムが連結部を覆うように取り付けられたとき、外装フィルムの一部が上記「曲面状」に形成されていてもよい。そして、ここで用いられる曲面は、二次元的な曲面及び三次元的な曲面の少なくとも一方により形成することができる。例えば、連結部を二次元的な曲面のみ、または三次元的な曲面のみで形成してもよいし、二次元的な曲面と三次元的な曲面とを組み合わせることで形成してもよい。こうすることで、連結部の機械的強度がさらに向上し、連結部に凹みが生じるのをさらに防止することができる。なお、二次元的な曲面とは、平面を湾曲などによって変形させることで形成される曲面をいい、三次元的な曲面とは、平面を湾曲させることだけでは形成できない曲面をいう。
【０００９】
上記連結部は、種々の態様で構成することができる。すなわち、連結部のすべてを上述した曲面状の領域で形成することもできるし、曲面状の領域のほかに、平坦状の領域を設けることもできる。また、例えば、連結部が、周方向の断面が直線状の領域を有する少なくとも一つの第２パネルと、各第２パネルの周方向の両側に配置され曲面状に形成された連結片と、を備え、第１パネルと第２パネルとが連結片によって連結されるよう構成することができる。このとき、リブは、連結片に形成される。第２パネルは、周方向の断面が直線状の領域ではあるが、第１パネルのパネル面に準じた効果を得ることができる。なお、連結片の特徴である「曲面状」とは、上述した連結部において行った説明と同じである。
【００１０】
第２パネルは、少なくとも周方向の断面が直線状の領域を含んでいればよく、この領域は、上下方向、周方向に亘って平坦状にできるほか、二次元的な曲面のように周方向の断面のみが直線状の領域であってもよい。
【００１１】
第２パネルを含む態様としては、例えば、胴部を、対向配置される一対の第１パネルと、この第１パネルと直交するように対向配置される一対の第２パネルと、第１パネル及び第２パネルの間に配置される４つの連結片と、で形成することができる。
【００１２】
上記各連結片または連結部に形成されているリブの一つは、パネル面に沿って延びるように構成できる。本発明におけるリブは、凹状であり、内部空間側へ向かう傾斜面を伴うため、パネル面に沿ってリブが形成されると、パネル面とリブの傾斜面とのなす角度が小さくなる。その結果、パネル面が凹んだときに、パネル面とリブの傾斜面との境界で、外装フィルムの周方向にテンションを作用させやすくなる。その結果、外装フィルムは、パネル面の凹みの影響をさらに受けにくくなり、変形を確実に防止することができる。
【００１３】
また、上記樹脂製容器の第１パネルを挟んで配置されるリブは、第１パネル側へ周方向に凹をなして湾曲するように形成することができる。このようにすると、第１パネルの上端及び下端付近の一部がリブによって囲まれるため、第１パネルの上端付近及び下端付近の機械的強度が向上する。さらに、第１パネルの上端部及び下端部の周方向の幅がリブによって狭められるため、パネル面が形成される面積も狭めることができる。その結果、陰圧によって凹む部分が小さくなり、外装フィルムの変形をさらに防止することができる。なお、この場合、樹脂製容器の各連結部には、少なくとも２つのリブを設け、連結部を挟んで配置される一対の第１パネルそれぞれに対して各リブを湾曲させればよい。
【００１４】
上記各連結片または各連結部には、複数のリブを形成することができる。このようにすることで、連結片または連結部の機械的強度をさらに向上することができる。
【００１５】
上記樹脂製容器においては、胴部の軸方向の長さが、当該軸方向と直交する幅方向の長さの２倍よりも小さいことが好ましい。このようにすることで、容器の高さが低くなるため、容器内部に陰圧が生じた場合に、容器の凹みを防止することができる。また、容器の高さが高いと、連結片または連結部の機械的強度を確保するために多数のリブを形成したり、あるいは凹状のリブを深く形成する必要があるが、容器の高さを低くすれば、リブの数が少なくても、もしくはリブが浅くても連結片または連結部の機械的強度を確保しやすいという利点がある。したがって、容器の凹みを、より容易な成形によって防止することができる。
【発明の効果】
【００１６】
本発明に係る樹脂製容器によれば、容器の内部に陰圧が生じても、容器が凹み座屈することなく、外装フィルムが凹んだり歪んだりするのを防止でき、デザイン性を維持することができる。
【図面の簡単な説明】
【００１７】
【図１】本発明に係る樹脂製容器の一実施形態を示す斜視図である。
【図２】図１の正面図である。
【図３】図１の側面図である。
【図４】図１の平面図である。
【図５】図２のＡ−Ａ線断面図である。
【図６】容器の内部に陰圧が生じたときの、図２のＡ−Ａ線断面図である。
【図７】リブの形成位置の他の例を示す断面図である。
【図８】本発明に係る樹脂製容器の他の例を示す胴部の断面図である。
【図９】本発明に係る樹脂製容器の他の例を示す胴部の断面図である。
【発明を実施するための形態】
【００１８】
以下、本発明に係る樹脂製容器の一実施形態について図面を参照しつつ説明する。図１はこの樹脂製容器の斜視図、図２は図１の正面図、図３は図１の側面図、図４は図１の平面図、図５は図２のＡ−Ａ線断面図である。なお、以下では、説明の便宜上、図２の上下方向を上下方向、左右方向を幅方向または周方向と称し、これを基準として他の図面でも説明を行う。
【００１９】
図１〜図４に示すように、本実施形態に係る樹脂製容器１は、開口を有する上部１１、この上部１１と連続し下方へ延びる胴部１２、及びこの胴部１２の下部を塞ぐ底部１３とで構成されており、これらによって内部空間を形成している。上部１１は、蓋２が取り付けられる円筒状の首部１１１を有しており、この首部１１１の上端に円筒状の開口（図示省略）が形成されている。そして、この開口の周縁には、ねじ溝（図示省略）が形成されており、開口を塞ぐ蓋２を着脱自在に取り付け可能となっている。首部１１１の下端には、平面視楕円状の肩部１１２が設けられている。この肩部１１２は、首部１１１の下端から連続して延びる平坦な上面部１１２１と、この上面部１１２１から連続して下方へ延びる側面部１１２２と，側面部１１２２と胴部１２とを連結する段部１１２３と、で構成されており、上面部１１２１と側面部１１２２との境界は面取りされている。また、側面部１１２２には、周方向に沿って延びる凹部１１２４が形成されている。この凹部１１２４は、肩部１１２の機械的強度を向上させるほか、この容器１のカバー（図示省略）を取り付ける際に、カバーに設けられた突部を嵌合させるためのものでもある。
【００２０】
そして、肩部１１２の下端には、胴部１２が連結されている。胴部１２は筒状に形成され、その下端が底部１３によって塞がれている。図４に示すように、胴部１２は、対向配置される一対の第１パネル１２１と、これら第１パネル１２１と直交するように対向配置される一対の第２パネル１２２と、隣接する第１パネル１２１及び第２パネル１２２を連結する４つの連結片１２３と、を有している。こうして、胴部１２は、上部１１と底部１３との間で上下方向に延びる軸Ｚの周りに、概ね矩形状の断面を有する筒状に形成される。また、胴部１２は、第１パネル１２１に沿って延びる幅方向の長さＬ１が、第２パネル１２２に沿って延びる幅方向の長さＬ２よりも長くなっている。一方、胴部１２の上下の長さについては、図２に示すように、幅方向の長さＬ１が、高さＨよりも長くなっているが、高さＨは、幅方向の長さＬ１の２倍以内であることが好ましい。なお、隣接する第１パネル１２１の間に配置される第２パネル１２２及び連結片１２３により、本発明の連結部が構成される。
【００２１】
次に、上述した胴部１２を構成する各部について説明する。第１パネル１２１は、正面視（図２）で見ると、上部１１に連結される上端部、及び底部１３に連結される下端部が直線状に形成されている。また、両側の連結片１２３との境界では連結片１２３側へ凸の円弧状に形成されている。側面視（図３）で見ると、上部１１に連結される上端部、及び底部１３に連結される下端部は若干湾曲しているが、図５に示すように、幅方向の断面の中央部分は直線状に延びている。すなわち、図２に示すように、第１パネル１２１の中央には、楕円状の領域に平坦状のパネル面（符号１２１１が付された矢印が指し示す細線の領域）が形成されている。第１パネル１２１と連結片１２３との境界は、符号１２１が付された矢印が指し示す細線の領域であり、パネル面１２１１の周縁と第１パネル１２１の周縁との間の領域は二次元的な曲面または三次元的な曲面となっている。なお、第１パネル１２１の下端付近は三次元的な曲面で下方及び両側に湾曲しているため、連結片１２３との間の明確な境界は示すことができないが、第１パネル１２１は平坦状のパネル面１２１１を有する領域であり、連結片１２３は後述するリブ１２３１を有する領域であるため、この限りにおいては、両者を区別可能である。
【００２２】
各第２パネル１２２は、正面視（図２）で見ると、上部１１から底部１３に向かって径方向外方に凸の円弧状に形成されている。その一方で、図５に示すように、隣接する連結片１２３の間では、周方向に断面が直線状である領域１２２１が形成されている。この領域１２２１は、周方向の断面のみが直線状で、上下方向には図２に示すように曲面を構成している。すなわち、二次元的な曲面を形成している。なお、第２パネル１２２と連結片１２３との境界は、符号１２２が付された矢印が指し示す細線の領域であり、領域１２２１の周縁と第２パネル１２２の周縁との間の領域は二次元的な曲面または三次元的な曲面となっている。
【００２３】
各連結片１２３は、図４に示すように、周方向に隣接する第１及び第２パネル１２１、１２２を連結するものであり、本実施形態では、各連結片１２３に、上下方向に延びるリブ１２３１が３本ずつ形成されている。ここでは、第１パネル１２１に隣接するリブを第１リブ１２３１ａ、第２パネル１２２と隣接するリブを第２リブ１２３１ｂ、その間に配置されているリブを第３リブ１２３１ｃと称することとする。各リブ１２３１は、第１パネル１２１の両側に沿うように正面視で円弧状に形成されており、且つ各リブ１２３１は内部空間側へ凹んでいる。より詳細に説明すると、各リブ１２３１は、図５に示すように、内部空間へ向かう２つの傾斜面Ｍ，Ｎによって断面Ｖ字状に形成されている。このようなリブ１２３１を、連結片１２３に設けると、連結片１２３の機械的強度を向上させることができる。ここで、例えば、リブが一つしかない場合に、機械的強度を向上しようとすると、リブの深さを大きくする必要があるが、リブの深さを大きくすると、容器の成形が難しくなるなどの問題が生じる。そこで、本実施形態では、３本のリブ１２３１を設けることで、各リブ１２３１の深さを大きくしなくても、機械的強度を維持するようにしている。なお、連結片１２３においてリブ１２３１を除く外周面を結ぶと、断面が概ね円弧状に形成される（図５の点線参照）。
【００２４】
この容器１は、例えば、ポリエチレンテレフタレート、ポリエチレン、ポリプロピレンなどで形成することができ、インジェクションブロー成形などの公知のブロー成形で製造することができる。また、このような容器１の厚みは、例えば、０．２〜２ｍｍとすることができる。
【００２５】
次に、上記のように構成された容器に、外装フィルム１０を取り付けた場合について、図５及び図６を参照しつつ説明する。図６は図５から容器１が変形した状態を示している。なお、図５及び図６では、説明の便宜のため、外装フィルム１０を点線で示している。外装フィルム１０は特には限定されないが、胴部１２の周囲に筒状に取り付けられ、加熱収縮したものを用いることができる。外装フィルム１０には、商品名、商品説明、絵柄などの装飾が施される。本実施形態に係る容器１では、第１パネル１２１に沿う幅Ｌ１が、第２パネル１２２に沿う幅Ｌ２よりも大きいため、第１パネル１２１を覆う部分が商品としての正面になる。
【００２６】
外装フィルム１０は、容器１の外周面において、周方向にテンションが作用した状態で取り付けられる。そのため、外装フィルム１０は、第１パネル１２１のパネル面１２１１において平坦状に取り付けられ、第２パネル１２２においては、周方向の断面が直線状となるように取り付けられている。そして、連結片１２３においては、径方向の最外部のみを通過するように取り付けられる。すなわち、外装フィルム１０は、リブ１２３１の傾斜面Ｍ，Ｎに沿って凹凸を形成するように取り付けられているのではなく、図５に示すように、上述したリブ１２３１同士を連結する２つの曲面１２３ｃ、第１リブ１２３１ａと第１パネル１２１との間の曲面１２３ａ、及び第２リブ１２３１ｂと第２パネル１２２とを連結する曲面１２３ｂを通過するように取り付けられる。このとき、外装フィルム１０は、連結片１２３における上記３つの曲面１２３ａ〜１２３ｃと必ずしも全面に亘って接触するわけではなく、少なくとも各曲面１２３ａ〜１２３ｃの頂点、つまり径方向の最外点及びその近傍と接触し、全体として曲面状の外観を呈するように連結片１２３を覆う。したがって、例えば、装飾が施された外装フィルム１０が取り付けられた状態では、リブ１２３１は外部から視認されず、外装フィルム１０において連結片１２３と対応する箇所は連続した曲面を形成する。
【００２７】
次に、本実施形態の容器に係る作用について説明する。容器１の内部に陰圧が生じると、主として、平坦状に形成されている第１パネル１２１のパネル面１２１１が内部空間側へ凹む。このとき、第２パネル１２２は、中央の領域１２２１に周方向の断面が直線状に形成されているが、上下方向に湾曲した二次元的な曲面を形成しているため、凹みが生じるのが抑制される。また、連結片１２３はリブ１２３１によって補強されているため、凹みが防止される。こうして、容器１の内部に陰圧が生じると、第１パネル１２１は、内部空間へ凹んだ状態になる。このとき、図６に示すように、第１パネル１２１のパネル面１２１１のみが凹み、その両側にある連結片１２３は変形しないため、外装フィルム１０に変形は生じない。すなわち、外装フィルム１０は、両連結片１２３の間でテンションが作用した状態のままであるため、パネル面１２１１が凹んだとしても、その凹みに追従することはなく、平坦な状態が維持される。したがって、外装フィルム１０が変形するのが防止され、そのデザイン性が損なわれるのを防止することができる。また、第２パネル１２２の領域１２２１は、周方向の断面のみが直線状に形成されているものの、第２パネル１２２を挟むように第２リブ１２３１ｂが形成されているため、その間の領域１２２１が陰圧により凹んだとしても、外装フィルム１０の変形を防止することができる。
【００２８】
以上のように、本実施形態によれば、リブ１２３１が形成されて補強された連結片１２３の間に、平坦状のパネル面１２１１が形成されているため、容器１内に陰圧が生じても、外装フィルム１０が、パネル面１２１１の凹みに追従して変形するのを防止することができる。特に、パネル面１２１１を挟んで配置されるリブ１２３１は、第１パネル１２１側へ周方向に凹をなして湾曲するように形成されているため、第１パネル１２１の上端部及び下端部は、リブ１２３１によって周方向の幅が狭められる。その結果、第１パネル１２１において、陰圧の影響で凹むパネル面１２１１を小さくすることができ、外装フィルム１０の変形をさらに防止することができる。第１パネル１２１は、商品としての正面になるため、デザイン性が重視される。そのため、上記のように変形を防止できることは特に有利である。
【００２９】
以上、本発明の一実施形態について説明したが、本発明はこれに限定されるものではなく、その趣旨を逸脱しない限りにおいて種々の変更が可能である。例えば、図７に示すように、第１パネル１２１に隣接するリブ１２３１ａを、パネル面１２１１との境界に沿って延びるように構成できる。すなわち、第１パネル１２１の幅方向の全体にパネル面１２１１を形成することができる。上記各リブ１２３１は、傾斜面を伴う凹部であるため、パネル面１２１１との境界Ｘにリブ１２３１が形成されると、その境界Ｘを挟むパネル面１２１１と、リブ１２３１ａの傾斜面とのなす角度が小さくなる。その結果、第１パネル１２１が凹んだときに、外装フィルム１０の周方向にテンションを作用させやすくなり、外装フィルム１０はパネル面１２１１の凹みの影響をさらに受けにくくすることができる。
【００３０】
また、リブ１２３１の数についても変更することができる。より好ましくは、リブの数は２以上である。また、上記実施形態では、リブ１２３１を湾曲させているが、すべて直線状に形成されていてもよい。あるいは、いずれかのリブを湾曲させていてもよい。なお、リブ１２３１は、胴部１２の上端から下端に亘って形成されることが好ましく、これによって、容器１の機械的強度がさらに向上し、また、肩部１１２、底部１３及びリブ１２３１で囲まれた面、すなわち第１パネル１２１のパネル面１２１１が凹みやすくなる。
【００３１】
第１パネル１２１のパネル面１２１１は、第１パネル１２１の全面に形成する必要はなく、周囲に曲面が存在してもよく、少なくとも第１リブ１２３１ａに挟まれた第１パネル１２１の中央に平坦状のパネル面１２１１が形成されていればよい。なお、パネル面１２１１の周縁と、第１パネル１２１の周縁との間の領域は、平坦状、あるいは内部空間から突出するように傾斜している必要がある。一方、第２パネル１２２においては、周方向の断面が直線状の領域１２２１が、少なくとも第２パネル１２２の一部にあればよく、そのほかに曲面状または平坦状の部分があってもよい。また、第２パネル１２２の領域１２２１は、二次元的な曲面で形成されているが、上下方向にも平坦状に形成することもできる。さらに、第２パネル１２２は、複数設けられていてもよく、隣接する第１パネル１２１の間に、周方向に複数の第２パネル１２２を設けるとともに、第１パネル１２１と第２パネル１２２の間、及び隣接する第２パネル１２２の間を、連結片１２３で連結することもできる。
【００３２】
上記実施形態においては、上部１１を首部１１１と肩部１１２とで構成しているが、上部１１の構成はこれに限定されるものではなく、少なくとも蓋２が取り付けられるような開口を有していればよく、例えば首部１１１のみであってもよい。すなわち、肩部１１２のような段を設けることなく、胴部１２と直接連結するような構成であってもよい。
【００３３】
上記実施形態においては、一対の第１パネル１２１を、連結片１２３及び第２パネル１２２で連結しているが、例えば、一対の第１パネル１２１を、周方向に曲面状、平坦状、またはこれらを組み合わせた連結部で連結することもできる。例えば、図８に示すように、一対の第１パネル１２１が上述した平坦状のパネル面１２１１を有し、これらを連結する断面円弧状の連結部１２８に上述したリブ１２３１が形成されていれば、本発明の効果を奏する。一対の第１パネル１２１は、全く同じ形状でなくてもよく、パネル面１２１１を有する限りは、非対称であってもよい。また、連結部１２８におけるリブ１２３１を除く面の形状は特には限定されないが、機械的強度向上の観点からは、曲面状に形成することが好ましい。曲面状とは、曲面のみ、曲面と平面との組み合わせた擬似的な曲面形状、あるいは複数の平面を連結した擬似的な曲面形状をいう。そして、曲面は、二次元的な曲面または三次元的な曲面で形成することができる。なお、図８では、第１パネル１２１に周方向の全体に亘ってパネル面１２１１を形成しているが、上記実施形態のように全体に亘って形成しなくてもよい。
【００３４】
さらに、複数の第１パネルを多角形状に配置し、隣接する第１パネルの間に連結部を配置することもできる。例えば、図９に示すように、３枚の第１パネル１２１を三角形状に配置し、隣接する第１パネル１２１の間にリブ１２３１が設けられた連結部１２８を配置することができる。第１パネル１２１は、上記のような三角形状のほか、五角形など、種々の形状にすることができ、正多角形ではなく、不等辺の多角形状に配置することもできる。連結部１２８の形状は、上述したとおり、二次元的な曲面または三次元な曲面で形成することが好ましい。あるいは、連結部１２８に、曲面状の領域のほか、平坦状の領域を設けることもできる。
【符号の説明】
【００３５】
１  樹脂製容器
１１  上部
１２  胴部
１２１  第１パネル
１２１１  パネル面
１２２  第２パネル
１２３  連結片
１２３１  リブ
１２８  連結部
１３  底部
【図１】
0006030309.tif 000002
【図２】
0006030309.tif 000003
【図３】
0006030309.tif 000004
【図４】
0006030309.tif 000005
【図５】
0006030309.tif 000006
【図６】
0006030309.tif 000007
【図７】
0006030309.tif 000008
【図８】
0006030309.tif 000009
【図９】
0006030309.tif 000010